(57)【要約】【課題】  従来の無農薬による野菜、葉菜、果物、花等の作物が重宝されている。また人々の健康、疾病の回復、我国の農業等を考慮した大局的な見地・地球環境等を念頭においた場合、無農薬栽培は不可欠である。よって、ハウス栽培においても、防虫ネットを利用した栽培方法が主流になりつつあるが、防虫ネットの取付けに関する配慮に欠けること、また外気の吸込量の確保に問題を残すこと等が考えられる。【構成】  本発明は、ハウスの壁面に設けた換気扇の換気扇枠体に、防虫ネット支持用兼羽根車用のガードを取付け、ガードには防虫ネットを開口部より被嵌し、防虫ネットで換気扇の吹出し側等の開口を被嵌するハウスの防虫ネット付きの換気扇である。ハウスに設置した換気扇への防虫ネットの組付けの容易化、及びハウスの換気扇への防虫ネットの簡易な張装が図れる。【選択図】      図３
2006296216.tif 000002
【特許請求の範囲】
【請求項１】
ハウスの壁面に設けた枠体と、この枠体に取付けられる換気扇と、この換気扇を被覆する一面に開口部を有する防虫ネットで構成した防虫ネット付きの換気扇であって、
前記換気扇又は換気扇を構成する換気扇枠体に防虫ネット支持用を兼ねる羽根車用のガードを設け、このガードに防虫ネットを取付け、この取付けた防虫ネットは、前記換気扇の吹出し側、吸込み側等の開口に設けられる構成としたハウスの防虫ネット付きの換気扇。
【請求項２】
ハウスの壁面に設けた枠体と、この枠体に取付けられる換気扇と、この換気扇を被覆する一面に開口部を有する防虫ネットで構成した防虫ネット付きの換気扇であって、
前記換気扇又は換気扇を構成する換気扇枠体に防虫ネット支持用を兼ねる羽根車用のガードを設け、このガードに予め防虫ネットを取付け、この取付けた防虫ネットは、前記換気扇の吹出し側、吸込み側等の開口に設けられる構成としたハウスの防虫ネット付きの換気扇。
【請求項３】
請求項１又は請求項２に記載のガードが、方形状、アーチ形状であって、前記防虫ネットに取付け用の開口部を形成する構成としたハウスの防虫ネット付きの換気扇。
【請求項４】
請求項１又は請求項２に記載のガード及び／又は防虫ネットは、現場において、換気扇に組付け可能な構成としたハウスの防虫ネット付きの換気扇。
【請求項５】
請求項１又は請求項２に記載の換気扇は、換気扇枠体と、この換気扇枠体に可動自在に架承した多数のシャッタープレートと、このシャッタープレートを連動する連動杆及びこの連動杆に設けたシャッタープレート支持板と、前記連動杆を作動する駆動部と、前記換気扇枠体に装備した羽根車及びこの羽根車を駆動するモータで構成したハウスの防虫ネット付きの換気扇。
【請求項６】
請求項５に記載の換気扇は、現場において、組立て可能な換気扇枠体、又は組立て可能なシャッタープレートを利用可能とする構成としたハウスの防虫ネット付きの換気扇。
【発明の詳細な説明】
【技術分野】
【０００１】
本発明は、ハウスに換気扇（羽根車）用のガードと、防虫ネットを組付け可能とする構造、又は防虫ネット付のガードに換気扇（又は換気扇枠体）に組付け可能としたハウスの防虫ネット付きの換気扇に関する。
【背景技術】
【０００２】
近時、無農薬又は減農薬による野菜、葉菜、果物、花等の作物の栽培（所謂、無農薬栽培（減農薬栽培）である）が重宝されている。その理由を検討すると、下記のような事実が挙げられる。この無農薬栽培は、人々の健康、疾病の回復及び／又は予防に有効であること、又は我国の農業等の維持を考慮した大局的な見地に有益であること、或いは人類の永久的なテーマである地球環境等を念頭においた場合では、必要不可欠である考えられること等である。
【０００３】
そして、このような無農薬栽培を簡易かつ確実に行える手段が、身近にあるハウス栽培の中でも、防虫ネットを利用した防虫ネット付きハウス栽培方法である。しかし、従来の防虫ネットは、シャッター（換気扇及び／又はシャッター枠体・換気扇枠体）より侵入する害虫の一部の捕捉で、この種の害虫防除又は駆除に要する農薬の使用量を微量にする減農薬栽培が主体であり、本来の無農薬栽培（一層の減農薬栽培（微農薬栽培））に至っていないのが現況であり、その改良、即ち、防虫ネットの性能の向上と、簡単な取付け又は取外し等による利便性の向上が望まれている。
【０００４】
上記のような状況に鑑み、本発明者は、この無農薬栽培に最適な防虫ネット付きハウス栽培方法、また防虫ネット付きハウス栽培におけるシャッター、又はハウスのシャッターに取付ける防虫ネット、或いはハウスの防虫ネット又は防寒布付きシャッター等の各種の発明を提案している。そして、これらの提案を介して無農薬栽培と、この無農薬栽培に必要とする外気の吸込み量及び／又は排気量等を確保することが可能となった。
【０００５】
そして、防虫ネットと換気扇に関する一般的な文献としては、次に挙げる文献がある。文献（１）、文献（２）はハウスの防虫に対する防虫ネットであり、ネットの素材に関する発明である。文献（１）は特開平７−１５５０７２号の「施設園芸用ネット及びそれを展張したハウス」であり、紫外線領域の光線を遮蔽し、可視光線領域の光線を透過するプラスチックスから構成される発明である。また文献（２）は特開平６−１６９６５０号の「通気性の良好な園芸用プラスチックハウス」であり、プラスチックハウス全面に対し、透明合成繊維で編成した網目状シートに、低い融点を有しかつ高周波融着性を有する透明合成樹脂を付着させて通気孔を網目状に形成してなる被覆材を展張する発明である。しかし、この文献（１）、文献（２）は、単に防虫ネットの素材特性を利用してハウスの防虫を図るに留まることから、工場（壁面又は天井面等）設置の換気扇に、防虫ネットを取付ける際に、羽根車又は換気扇を保護するガードを利用して簡易かつ取付け自在に行えるための構造ではない。従って、防虫ネットの利用であるが、本発明が意図する構成とは全く異なる。
【０００６】
【特許文献１】特開平７−１５５０７２号
【特許文献２】特開平６−１６９６５０号
【発明の開示】
【発明が解決しようとする課題】
【０００７】
前記文献（１）、文献（２）は、防虫ネットを利用したハウスと、このハウスを利用した栽培方法を意図した発明である。従って、この文献（１）、文献（２）は、本発明が意図するハウスに設置した換気扇（シャッター又は換気扇枠体・シャッター枠体、以下換気扇とする）への防虫ネットの組付けの容易化を図る構成、またハウスの換気扇への防虫ネットの簡易な張装を意図した構成、又は防虫ネットの簡略化、低コスト化等が図れるハウスの防虫ネット付き換気扇の構成とは考えられない。また文献（１）、文献（２）の構成では、換気扇（シャッター）のガードを防虫ネットの枠体として利用する着想はなく、部品点数の減少化、コストの削減化及び／又は取付けの簡便化等に関する改良点とはなり得ない問題がある。そして、本発明が意図するハウスに必要となる外気の吸込量及び／又は排気量を確保すること、この吸込んだ外気をハウス内の最適な箇所への送風及び／又はハウス内の空気のハウス外への排気を図りつつ、作物への直接送風及び過乾燥を回避し、葉面呼吸の確保を図ること、さらに温湿度管理の適正化及び／又は空気の置換を図り、作物の生育環境の確保と、収穫量の拡充を図ること等が困難視される。
【課題を解決するための手段】
【０００８】
請求項１の発明は、ハウスに設置した換気扇への防虫ネットの組付けの容易化を図ること、またハウスの換気扇への防虫ネットの簡易な張装を図ること、又は防虫ネットの簡略化、低コスト化等が図れるハウスの防虫ネット付き換気扇を提供すること等を意図する。また請求項１の発明は、ハウスに必要となる外気の吸込量を確保すること、またこの吸込んだ外気をハウス内の最適な箇所への送風及び／又はハウス内の空気のハウス外への排気を図りつつ、作物への直接送風及び過乾燥を回避し、葉面呼吸の確保を図ること、さらに温湿度管理の適正化及び／又は空気の置換を図り、作物の生育環境の確保と、収穫量の拡充を図ること等を意図する。また換気扇及び／又は防虫ネットの部品点数の減少化、コストの削減化及び／又は取付けの簡便化等を図ることを意図する。
【０００９】
請求項１は、ハウスの壁面に設けた枠体と、この枠体に取付けられる換気扇と、この換気扇を被覆する一面に開口部を有する防虫ネットで構成した防虫ネット付きの換気扇であって、
前記換気扇又は換気扇を構成する換気扇枠体に防虫ネット支持用を兼ねる羽根車用のガードを設け、このガードに防虫ネットを取付け、この取付けた防虫ネットは、前記換気扇の吹出し側、吸込み側等の開口に設けられる構成としたハウスの防虫ネット付きの換気扇である。
【００１０】
請求項２の発明は、従来の換気扇又はハウスに設置した換気扇への防虫ネットの容易、かつワンタッチによる組付けを図ること、またハウスの換気扇への防虫ネットの簡易な張装を図ること、又は防虫ネットの簡略化、低コスト化等が図れるハウスの防虫ネット付き換気扇を提供すること等を意図する。また請求項２の発明は、ハウスに必要となる外気の吸込量を確保し、またこの吸込んだ外気をハウス内の最適な箇所への送風及び／又はハウス内の空気のハウス外への排気を図りつつ、作物への直接送風及び／又は過乾燥を回避し、葉面呼吸の確保を図ること、さらに温湿度管理の適正化及び／又は空気の置換を図り、作物の生育環境の確保と、収穫量の拡充を図ること等を意図する。また換気扇及び／又は防虫ネットの部品点数の減少化、コストの削減化及び／又は取付けの簡便化等を図ることを意図する。
【００１１】
請求項２は、ハウスの壁面に設けた枠体と、この枠体に取付けられる換気扇と、この換気扇を被覆する一面に開口部を有する防虫ネットで構成した防虫ネット付きの換気扇であって、
前記換気扇又は換気扇を構成する換気扇枠体に防虫ネット支持用を兼ねる羽根車用のガードを設け、このガードに予め防虫ネットを取付け、この取付けた防虫ネットは、前記換気扇の吹出し側、吸込み側等の開口に設けられる構成としたハウスの防虫ネット付きの換気扇である。
【００１２】
請求項３の発明は、請求項１又は請求項２の目的を達成すること、この目的を達成するのに最適なハウスに設置等した換気扇に取付けできる（防虫ネットの取付けが可能な）立体形状枠を提供すること等を意図する。
【００１３】
請求項３は、請求項１又は請求項２に記載のガードが、方形状、アーチ形状であって、前記防虫ネットに取付け用の開口部を形成する構成としたハウスの防虫ネット付きの換気扇である。
【００１４】
請求項４の発明は、請求項１又は請求項２の目的を達成すること、この目的を達成するのに最適なハウスに設置等した換気扇に取付けできるガード及び／又は防虫ネットを提供すること等を意図する。
【００１５】
請求項４は、請求項１又は請求項２に記載の立体形状枠及び／又は防虫ネットを、現場において、換気扇に組付け可能な構成としたハウスの防虫ネット付きの換気扇である。
【００１６】
請求項５の発明は、請求項１又は請求項２の目的を達成すること、この目的を達成するのに最適なハウスに設置等した換気扇に取付けできるネットを付設したガード構造であって、この防虫ネットを容易、確実に取付けできる換気扇を提供すること等を意図する。
【００１７】
請求項５は、請求項１又は請求項２に記載の換気扇を、換気扇枠体と、この換気扇枠体に可動自在に架承した多数のシャッタープレートと、このシャッタープレートを連動する連動杆及びこの連動杆に設けたシャッタープレート支持板と、前記連動杆を作動する駆動部と、前記換気扇枠体に装備した羽根車及びこの羽根車を駆動するモータで構成したハウスの防虫ネット付きの換気扇である。
【００１８】
請求項６の発明は、請求項５の目的を達成すること、この目的を達成するのに最適な構造の換気扇を提供すること等を意図する。
【００１９】
請求項６は、請求項５に記載の換気扇が、現場において、組立て可能な換気扇枠体、又は組立て可能なシャッタープレートを利用可能とする構成としたハウスの防虫ネット付きの換気扇である。
【発明の効果】
【００２０】
請求項１の発明は、ハウスの壁面に設けた枠体と、枠体に取付けられる換気扇と、換気扇を被覆する一面に開口部を有する防虫ネットで構成した防虫ネット付きの換気扇であって、
換気扇又は換気扇を構成する換気扇枠体に防虫ネット支持用を兼ねる羽根車用のガードを設け、ガードに防虫ネットを取付け、取付けた防虫ネットは、換気扇の吹出し側、吸込み側等の開口に設けられる構成としたハウスの防虫ネット付きの換気扇である。
【００２１】
従って、請求項１は、ハウスに設置した換気扇への防虫ネットの組付けの容易化が図れること、またハウスの換気扇への防虫ネットの簡易な張装が図れること、又は防虫ネットの簡略化、低コスト化等が図れるハウスの防虫ネット付き換気扇を提供できること等の特徴がある。また請求項１は、ハウスに必要となる外気の吸込量を確保できること、またこの吸込んだ外気をハウス内の最適な箇所への送風及び／又はハウス内の空気のハウス外への排気を図りつつ、作物への直接送風及び過乾燥を回避し、葉面呼吸の確保が図れること、さらに温湿度管理の適正化及び／又は空気の置換を図り、作物の生育環境の確保と、収穫量の拡充が図れること等の実益を有する。さらに請求項１は、換気扇及び／又は防虫ネットの部品点数の減少化、コストの削減化及び／又は取付けの簡便化等が図れる特徴を有する。
【００２２】
請求項２の発明は、ハウスの壁面に設けた枠体と、枠体に取付けられる換気扇と、換気扇を被覆する一面に開口部を有する防虫ネットで構成した防虫ネット付きの換気扇であって、
換気扇又は換気扇を構成する換気扇枠体に防虫ネット支持用を兼ねる羽根車用のガードを設け、ガードに予め防虫ネットを取付け、取付けた防虫ネットは、換気扇の吹出し側、吸込み側等の開口に設けられる構成としたハウスの防虫ネット付きの換気扇である。
【００２３】
従って、請求項２は、従来の換気扇又はハウスに設置した換気扇にガードを介して防虫ネットを容易、かつワンタッチによる組付けが図れること、またハウスの換気扇への防虫ネットの簡易な張装が図れること、又は防虫ネットの簡略化、低コスト化等が図れるハウスの防虫ネット付き換気扇を提供できること等の特徴がある。また請求項２は、ハウスに必要となる外気の吸込量を確保し、またこの吸込んだ外気をハウス内の最適な箇所への送風及び／又はハウス内の空気のハウス外への排気を図りつつ、作物への直接送風及び／又は過乾燥を回避し、葉面呼吸の確保が図れること、さらに温湿度管理の適正化及び／又は空気の置換を図り、作物の生育環境の確保と、収穫量の拡充が図れること等の実益を有する。さらに請求項２は、換気扇及び／又は防虫ネットの部品点数の減少化、コストの削減化及び／又は取付けの簡便化等が図れる特徴がある。
【００２４】
請求項３の発明は、請求項１又は請求項２に記載のガードが、方形状、アーチ形状であって、防虫ネットに取付け用の開口部を形成する構成としたハウスの防虫ネット付きの換気扇である。
【００２５】
従って、請求項３は、請求項１又は請求項２の目的を達成できること、この目的を達成するのに最適なハウスに設置等した換気扇に取付けできる（防虫ネットの取付けが可能な）立体形状枠を提供できること等の特徴がある。
【００２６】
請求項４の発明は、請求項１又は請求項２に記載のガード及び／又は防虫ネットを、現場において、換気扇に組付け可能な構成としたハウスの防虫ネット付きの換気扇である。
【００２７】
従って、請求項４は、請求項１又は請求項２の目的を達成できること、この目的を達成するのに最適なハウスに設置等した換気扇に取付けできるガード及び／又は防虫ネットを提供できること等の特徴がある。
【００２８】
請求項５の発明は、請求項１又は請求項２に記載の換気扇を、換気扇枠体と、換気扇枠体に可動自在に架承した多数のシャッタープレートと、シャッタープレートを連動する連動杆及び連動杆に設けたシャッタープレート支持板と、連動杆を作動する駆動部と、換気扇枠体に装備した羽根車及び羽根車を駆動するモータで構成したハウスの防虫ネット付きの換気扇である。
【００２９】
従って、請求項５は、請求項１又は請求項２の目的を達成できること、この目的を達成するのに最適な換気扇に取付けできるネットを付設したガード構造であって、この防虫ネットを容易、確実に取付けできる換気扇を提供できること等の特徴がある。
【００３０】
請求項６は、請求項５に記載の換気扇が、現場において、組立て可能な換気扇枠体、又は組立て可能なシャッタープレートを利用可能とする構成としたハウスの防虫ネット付きの換気扇である。
【００３１】
従って、請求項６は、請求項５の目的を達成できること、この目的を達成するのに最適な構造の換気扇を提供できること等の特徴がある。
【発明を実施するための最良の形態】
【００３２】
本発明の図面の説明をすると、図１〜図５は本発明のハウスの吹出側に設置される防虫ネット付きの換気扇の第一の実施例を示したものであり、図１は全体の一部欠截の背面図、図２は全体の側面図、図３は全体の分解斜視図、図４は換気扇枠体（換気扇）の上部にガードを取付ける一例を示した拡大仰視図、図５は換気扇枠体の下部にガードを取付ける一例を示した拡大俯瞰図、また図６は本発明の防虫ネット付きの換気扇の第二の実施例を示した全体の分解斜視図である。さらに図７は本発明の防虫ネット付きの換気扇の第三の実施例を示した全体の分解斜視図である。尚、図８は防虫ネットとこの防虫ネットを換気扇枠体（換気扇）に取付ける一例を示した拡大斜視図である。また図９は防虫ネットの他の一例を示した斜視図、図１０は防虫ネットのさらに他の一例を示した斜視図である。
【００３３】
図中１はビニールハウス、ガラスハウス等のハウスＡの枠構成であり、この枠構成１は縦枠体１００と横枠体１０１とで方形状に形成された、例えば、図例の如く、妻づら形態とする（ハウスＡの壁面１ｃに略面一構造である）。尚、他の一例としては天井面に設けられる形態とする。そして、この枠構成１には換気扇２が設けられており、この換気扇２は換気扇枠体２００と、この換気扇枠体２００に設けた複数のシャッタープレート２０１と、このシャッタープレート２０１を同時に開閉する連動杆（図示せず）と、前記換気扇枠体２００の隅部（四隅）に少なくとも対峙して設けた支持部材２０２と、この支持部材２０２に架承した羽根車２０３と、この羽根車２０３を駆動する前記支持部材２０２に設けたモータ２０４とで構成されており、この換気扇枠体２００を前記枠構成１に嵌合及び／又は固止する。この換気扇２は、モータ２０４の回転で羽根車２０３が回転し、この羽根車２０３の風圧を介してシャッタープレート２０１を可動し、このシャッタープレート２０１を開放するとともに、ハウスＡ内の空気を排気する（吹出す）構造であり、このシャッタープレート２０１は連動杆を介して略同時に開閉する構造である。尚、このシャッタープレート２０１を支持するシャッタープレート支持板と、またシャッタープレート２０１とシャッタープレート支持板を駆動する連動杆は図示せず。そして、以上で説明したシャッタープレート２０１は風圧式であるが、これに限定されず、例えば、図示しないが、駆動式もあり得る。このシャッタープレート２０１の駆動式は、モータ及び／又は駆動連結杆（駆動部）を備えており、この駆動部の作用でシャッタープレート２０１を開閉する。
【００３４】
尚、本発明では、前述の換気扇２は一例である。従って、例えば、図示しないが、ハウスＡの吸込み側の換気扇２の場合にも適用できる構造である。また換気扇２を構成する換気扇枠体２００、シャッタープレート２０１等の部材は、原則として一体構造であるが、現場での組立て及び／又は分解構造もあり得る。この現場での組立て構造は、搬送の容易化、又は現場での部品交換と、この交換の容易化等が図れる。
【００３５】
３は防虫ネット５支持用兼羽根車２０３用のガードで、このガード３は略立方体を形成し、その一面に開口部３００を有する。そして、この開口部３００を利用して当該ガード３を、換気扇２に設ける。またこのガード３には取付け用の脚部３０１が少なくとも四本設けられており、この脚部３０１を換気扇枠体２００（換気扇２）の隅部（四隅）に設けたパイプ６等の固定手段に差込み等の方法で固定する。尚、図中６００は必要時に使用する止め具を示す。またガード３には枠体３０２（骨材）を適宜設ける。またこのガード３は、換気扇２との相似形が基本であるが、風量の確保が可能であれば、相似形に限定されない（図６、図７参照）。尚、ガード３は換気扇２との一体構造もあり得る。
【００３６】
そして、本発明の各形態のガード３と相似形又は非相似形（図示せず）の防虫ネット５との組合せで、好適な一例を下記に説明すると、先ず、〔１〕  図３の例は、方形状のガード３と相似形の防虫ネット５との組合せであり、最も標準的で、空気の通過量が多い構造であり、また換気扇２の略全体を覆う構造とし、換気扇２との一体化と、取付けの容易化、又は体裁の確保等を意図する。また〔２〕  図６の例は、略環状のガード３と相似形の防虫ネット５との組合せであり、装置の小型化、適宜の空気の通過量と、又は体裁の確保等を意図する。さらに〔３〕  図７の例は、略ドーム形状と相似形の防虫ネット５との組合せであり、装置の小型化・弾性化と、広角方向の空気の通過量と、又は体裁の確保等を意図する。尚、図示の例は一例であり、同様な効果が図れる他の構成のガード３と相似形及び／又は非相似形（図示せず）の防虫ネット５は本発明の範疇である。この非相似形は、一般的には吸込み側の開口に設置する構造に適するものと考えられる。その理由は吸込み外気量の確保と、抵抗の軽減化等が考えられる。
【００３７】
そして、前記防虫ネット５の取付け方法は、この防虫ネット５が方形状の場合は、図８〜図１０に示した各例が望ましいので、順次説明する。  〔４〕図８に示した例は、換気扇枠体２００、換気扇２、又はハウスＡの縦枠体１００及び／又は横枠体１０１に設けたネット係止材７と、このネット係止材７に設けた係止溝７００と、この係止溝７００に圧入される弾性体７０１とで、ガード３に被嵌した防虫ネット５の周辺を圧着する方式である。この圧着で防虫ネット５が換気扇２に取付けられる。この例では、密封性の向上、防音・冷暖房効果、又は益虫の逃避防止、騒音・内気・悪臭等の拡散防止に役立ち有益である。またこの弾性体７０１はバネ材でも可能である。  〔５〕図９に示した例は、防虫ネット５の周辺に袋部５００を形成し、この袋部５００に紐５０１を設け、この紐５０１でガード３に被嵌した防虫ネット５を緊締固止することで、防虫ネット５が換気扇２に取付けられる。また  〔６〕図１０に示した例は、防虫ネット５の周辺に一方の面ファスナー５０２を形成し、この一方の面ファスナー５０２を、前記換気扇枠体２００及び／又はガード３に設けた他方の面ファスナー５０３に貼着する。この操作で防虫ネット５が換気扇２に取付けられる。尚、防虫ネット５の取外しは、前述の各例で示した貼着方法の逆の操作で容易に行えるので、説明は省略する。
尚、防虫ネット５の他の例として、防虫ネット５を防寒シートに変更し、冬季等における寒さ対策と、防温、防音、防犯効果等を達成することも可能である。
【００３８】
また換気扇２及び／又は防虫ネット５は、図示しない作物の種類及び／又は栽培・気候等の条件等により、ハウスＡの壁面１ｃの所定高さに取付けられる。この取付け位置と、防虫ネット５等との形状及び／又は寸法等は相関関係を有する。そして、記述した内容で、換気扇２による十分な換気及び／又は外気の吸込みが図れない場合の悪影響を念のために説明する。例えば、〔イ〕  外気の吸込量の確保が図れない場合には、適正な温湿度管理ができず、例えば、７月〜８月において、外気に比し、略２〜５℃程度の温度（高温時が問題）及び／又は略２〜３％の相対温度の上昇が考えられる。〔ロ〕  吸込量が不足し、適正な温湿度管理ができないので、作物の生育不良、糖分の不足、果肉の不良、又は徒長の問題が発生する。〔ハ〕  ハウスＡ内空気の澱みの発生による作物の生育不良、糖分の不足等が考えられる。〔ニ〕  防虫ネット５の張装面積が増えることで、ハウスＡの畝及び／又は作物を覆うような状態となり、光合成が図れないこと、及び収穫量が減少すること、またハウスＡの内壁近傍を移動する人・機材の邪魔になり易いこと等が考えられる。
【図面の簡単な説明】
【００３９】
【図１】本発明のハウスの吹出側に設置される防虫ネット付きの換気扇の第一の実施例を示した全体の一部欠截の背面図
【図２】図２は第一の実施例を示した全体の側面図
【図３】図３は第一の実施例を示した全体の分解斜視図
【図４】図４は換気扇枠体（換気扇）の上部にガードを取付ける一例を示した拡大仰視図
【図５】図５は換気扇枠体の下部にガードを取付ける一例を示した拡大俯瞰図
【図６】図６は本発明の防虫ネット付きの換気扇の第二の実施例を示した全体の分解斜視図
【図７】図７は本発明の防虫ネット付きの換気扇の第三の実施例を示した全体の分解斜視図である。
【図８】図８は防虫ネットとこの防虫ネットを換気扇枠体（換気扇）に取付ける一例を示した拡大斜視図
【図９】図９は防虫ネットの他の一例を示した斜視図
【図１０】図１０は防虫ネットのさらに他の一例を示した斜視図
【符号の説明】
【００４０】
Ａ              ハウス
１              枠構成
１ｃ            壁面
１００          縦枠体
１０１          横枠体
２              換気扇
２００          換気扇枠体
２０１          シャッタープレート
２０２          支持部材
２０３          羽根車
２０４          モータ
３              羽根車
３００          開口部
３０１          脚部
３０２          枠体（骨材）
４              防虫ネット
５              防虫ネット
５００          袋部
５０１          紐
５０２          一方の面ファスナー
５０３          他方の面ファスナー
６              パイプ
６００          止め具
７              ネット係止材
７００          係止溝
７０１          弾性体
【図１】
2006296216.tif 000003
【図２】
2006296216.tif 000004
【図３】
2006296216.tif 000005
【図４】
2006296216.tif 000006
【図５】
2006296216.tif 000007
【図６】
2006296216.tif 000008
【図７】
2006296216.tif 000009
【図８】
2006296216.tif 000010
【図９】
2006296216.tif 000011
【図１０】
2006296216.tif 000012